(57)【要約】【課題】マルチ画面映像表示装置を構成する複数の映像表示装置のうち、いずれかの映像表示装置の電源部が故障した場合にも、欠落することなく映像を表示することができる技術を提供することを目的とする。【解決手段】電源部１１０，２１０，３１０は、当該電源部１１０，２１０，３１０の故障を検出する機能をさらに備え、正常時に第１の切替スイッチを内部電源に切り替えさせるとともに第２の切替スイッチをオフに切り替えさせ、当該電源部の故障検出時に、第１の切替スイッチを外部電源に切り替えさせるとともに、Ａｃｔｉｖｅ信号をデイジーチェーン接続された隣接する映像表示装置に送信しＡｃｔｉｖｅ信号を受信した映像表示装置の第２の切替スイッチをオンに切り替えさせ当該映像表示装置の電源部からＡｃｔｉｖｅ信号を送信した映像表示装置のエンジン部へ電力を供給させている。【選択図】図１
2017163176.tif 000002
【特許請求の範囲】
【請求項１】
複数の映像表示装置によってマルチ画面を構成するマルチ画面映像表示装置であって、
各前記映像表示装置は、
映像を表示するためのエンジン部と、
前記エンジン部に電力を供給する電源部と、
前記エンジン部に供給される電力について、前記電源部である内部電源および電源入力部から供給される外部電源のいずれかに切り替える第１の切替スイッチと、
前記電源部から電源出力部を介して外部へ電力を供給するか否かを切り替える第２の切替スイッチと、
を備え、
前記複数の映像表示装置の前記電源入力部および前記電源出力部はデイジーチェーン接続され、
前記電源部は、当該電源部の故障を検出する機能をさらに備え、正常時に前記第１の切替スイッチを前記内部電源に切り替えさせるとともに前記第２の切替スイッチをオフに切り替えさせ、当該電源部の故障検出時に、前記第１の切替スイッチを前記外部電源に切り替えさせるとともに、第１の制御信号をデイジーチェーン接続された隣接する映像表示装置に送信し前記第１の制御信号を受信した映像表示装置の第２の切替スイッチをオンに切り替えさせ当該映像表示装置の電源部から前記第１の制御信号を送信した映像表示装置のエンジン部へ電力を供給させる、マルチ画面映像表示装置。
【請求項２】
各前記映像表示装置は、前記エンジン部を通常モードおよび省電力モードのいずれかに切り替える制御部をさらに備え、
前記第１の制御信号を受信した前記映像表示装置の制御部は、当該映像表示装置のエンジン部を省電力モードに切り替える、請求項１記載のマルチ画面映像表示装置。
【請求項３】
各前記映像表示装置は、前記エンジン部を通常モードおよび省電力モードのいずれかに切り替える制御部をさらに備え、
前記電源部は、当該電源部の故障検出時に、第２の制御信号をデイジーチェーン接続された全ての映像表示装置に送信しマルチ画面を構成する全ての映像表示装置のエンジン部を省電力モードに切り替えさせる、請求項１記載のマルチ画面映像表示装置。
【請求項４】
前記制御部は、当該電源部の故障検出時に、故障した旨の情報を当該電源部が含まれる前記映像表示装置の画面または当該電源部が含まれる前記映像表示装置に接続された外部装置の画面に表示させる、請求項２記載のマルチ画面映像表示装置。
【発明の詳細な説明】
【技術分野】
【０００１】
本発明は、複数の映像表示装置によってマルチ画面を構成するマルチ画面映像表示装置に関するものである。
【背景技術】
【０００２】
近年、例えば投射型映像表示装置では、ＬＥＤ（Ｌｉｇｈｔ  Ｅｍｉｔｔｉｎｇ  Ｄｉｏｄｅ）光源またはレーザーなどの光源が使用されている。特に、ＤＭＤ（Ｄｉｇｉｔａｌ  Ｍｉｃｒｏｍｉｒｒｏｒ  Ｄｅｖｉｃｅ）を用いたＤＬＰ（登録商標）（Ｄｉｇｉｔａｌ Ｌｉｇｈｔ Ｐｒｏｃｅｓｓｉｎｇ）方式の映像表示装置では、赤色光、緑色光、および青色光を出射するＬＥＤが用いられる。ＤＬＰ（登録商標）方式の表示装置では、これら３色のＬＥＤを時系列に点灯させている。
【０００３】
このような複数のＬＥＤ光源の点灯を制御する制御装置としては、マイクロコンピューター（ｍｉｃｒｏｃｏｍｐｕｔｅｒ、以下「マイコン」という）などを備える制御装置が考えられる。ＬＥＤは、供給される電流に応じて、輝度を変化させられることが知られている。よって、使用者が希望する輝度を得るために、マイコンなどの制御装置を用いてＬＥＤの駆動電流を制御する構成が採用されている。
【０００４】
所望のＬＥＤ光源の輝度を得るために、マイコンなどの制御装置を用いてＬＥＤの駆動電流を制御する方法としては、例えば、特許文献１，２に開示されている技術がある。このようなＬＥＤ光源を備える投射型映像表示装置は、複数組み合わせられてマルチ画面を構成し、使用者に様々な情報と映像を提供する大画面のマルチ画面映像表示装置として用いられている。
【先行技術文献】
【特許文献】
【０００５】
【特許文献１】特開平８−１２６２２７号公報
【特許文献２】特開２０１１−２５３７７３号公報
【発明の概要】
【発明が解決しようとする課題】
【０００６】
しかしながら、映像表示装置が表示する画面を複数組み合わせて、１つのマルチ画面を構成するマルチ画面映像表示装置には、以下のような問題がある。
【０００７】
例えば、上記のように、マルチ画面映像表示装置を構成する複数の映像表示装置のうち、どれか１台でも映像表示装置の電源部が故障した場合には、マルチ画面表示の一部が欠落した構成となるため、非常に見づらい映像になる。一般的に、故障した電源部の修理または交換には、１日〜数日かかる場合もあり、発電所の制御画面など２４時間３６５日、監視が必要な画面については深刻な問題となってしまう。
【０００８】
そこで、本発明は、マルチ画面映像表示装置を構成する複数の映像表示装置のうち、いずれかの映像表示装置の電源部が故障した場合にも、欠落することなく映像を表示することができる技術を提供することを目的とする。
【課題を解決するための手段】
【０００９】
本発明に係るマルチ画面映像表示装置は、複数の映像表示装置によってマルチ画面を構成するマルチ画面映像表示装置であって、各前記映像表示装置は、映像を表示するためのエンジン部と、前記エンジン部に電力を供給する電源部と、前記エンジン部に供給される電力について、前記電源部である内部電源および電源入力部から供給される外部電源のいずれかに切り替える第１の切替スイッチと、前記電源部から電源出力部を介して外部へ電力を供給するか否かを切り替える第２の切替スイッチとを備え、前記複数の映像表示装置の前記電源入力部および前記電源出力部はデイジーチェーン接続され、前記電源部は、当該電源部の故障を検出する機能をさらに備え、正常時に前記第１の切替スイッチを前記内部電源に切り替えさせるとともに前記第２の切替スイッチをオフに切り替えさせ、当該電源部の故障検出時に、前記第１の切替スイッチを前記外部電源に切り替えさせるとともに、第１の制御信号をデイジーチェーン接続された隣接する映像表示装置に送信し前記第１の制御信号を受信した映像表示装置の第２の切替スイッチをオンに切り替えさせ当該映像表示装置の電源部から前記第１の制御信号を送信した映像表示装置のエンジン部へ電力を供給させるものである。
【発明の効果】
【００１０】
本発明によれば、電源部は、当該電源部の故障を検出する機能をさらに備え、正常時に第１の切替スイッチを内部電源に切り替えさせるとともに第２の切替スイッチをオフに切り替えさせ、当該電源部の故障検出時に、第１の切替スイッチを外部電源に切り替えさせるとともに、第１の制御信号をデイジーチェーン接続された隣接する映像表示装置に送信し第１の制御信号を受信した映像表示装置の第２の切替スイッチをオンに切り替えさせ当該映像表示装置の電源部から第１の制御信号を送信した映像表示装置のエンジン部へ電力を供給させる。
【００１１】
したがって、マルチ画面映像表示装置を構成する複数の映像表示装置のうち、いずれかの映像表示装置の電源部が故障した場合にも、電源部が正常に動作している他の映像表示装置から電力を供給することができる。これにより、マルチ画面映像表示装置の映像を欠落することなく表示させることができる。
【図面の簡単な説明】
【００１２】
【図１】実施の形態に係るマルチ画面映像表示装置の構成と正常時の動作を概略的に示す図である。
【図２】電源部の構成を概略的に示す図である。
【図３】実施の形態に係るマルチ画面映像表示装置の構成と故障検出時の動作を概略的に示す図である。
【図４】実施の形態の変形例に係るマルチ画面映像表示装置の構成と正常時の動作を概略的に示す図である。
【発明を実施するための形態】
【００１３】
＜実施の形態＞
本発明の実施の形態について、図面を用いて以下に説明する。なお、以下の説明では、同様の構成要素には同じ符号を付して図示し、それらの名称および機能についても同様のものとする。よって、それらについての詳細な説明を省略する場合がある。
【００１４】
図１は、実施の形態に係るマルチ画面映像表示装置の構成と正常時の動作を概略的に示す図である。マルチ画面映像表示装置は、複数の映像表示装置によってマルチ画面を構成する装置であり、図１に示すように、例えば３つの映像表示装置を組み合わせた構成となっている。
【００１５】
先ず、マルチ画面映像表示装置を構成する映像表示装置の構成について説明する。３つの映像表示装置は同じ構成の映像表示装置であるが、便宜上映像表示装置１、映像表示装置２、映像表示装置３として説明する。映像表示装置１は、エンジン部１００、電源部１１０、ＳＷ１２０（第１の切替スイッチ）、ＳＷ１３０（第２の切替スイッチ）、外部電源入力端子１５０（電源入力部）、および外部電源出力端子１６０（電源出力部）を備えている。
【００１６】
エンジン部１００は、映像を表示するための光学エンジンである。より具体的には、エンジン部１００は、光源として例えばＬＥＤ（図示省略）を備え、映像表示装置１のＯＳＤ（Ｏｎ  Ｓｃｒｅｅｎ  Ｄｉｓｐｌａｙ）に映像光を出射して映像を表示させる。エンジン部１００は、マイコン１０１（制御部）およびプルアップ抵抗１０２をさらに備えており、マイコン１０１は映像の輝度を調整する。
【００１７】
電源部１１０は、商用電源から供給される電力をエンジン部１００が必要とする所定の電力に変換し、変換した電力をエンジン部１００に供給する。ＳＷ１２０は、エンジン部１００に供給される電力について、電源部１１０である内部電源および外部電源入力端子１５０から供給される外部電源のいずれかに切り替えるスイッチである。ＳＷ１３０は、電源部１１０から外部電源出力端子１６０を介して外部へ電力を供給するか否かを切り替えるスイッチである。
【００１８】
映像表示装置２は、エンジン部２００、電源部２１０、ＳＷ２２０（第１の切替スイッチ）、ＳＷ２３０（第２の切替スイッチ）、外部電源入力端子２５０（電源入力部）、および外部電源出力端子２６０（電源出力部）を備えている。映像表示装置３は、エンジン部３００、電源部３１０、ＳＷ３２０（第１の切替スイッチ）、ＳＷ３３０（第２の切替スイッチ）、外部電源入力端子３５０（電源入力部）、および外部電源出力端子３６０（電源出力部）を備えている。上記のように、映像表示装置２，３の構成は、映像表示装置１の構成と同じであるため説明を省略する。
【００１９】
次に、電源部１１０の構成について説明する。図２は、電源部１１０の構成と正常時の動作を概略的に示す図である。電源部１１０は電源部１１０の故障を検出する機能として故障検出器１７０を有しており、図２は、具体的には故障検出器１７０から制御信号を出力するための構成を示す図である。なお、電源部１１０，２１０，３１０は同じ構成であるため、ここでは電源部１１０の構成のみを説明する。
【００２０】
図２に示すように、電源部１１０は、故障検出器１７０、３ステートバッファ１７１、およびバッファ１７２を備えている。故障検出器１７０は、正常時に「Ｈ」を出力し、故障検出時に「Ｌ」を出力する。ここで、正常時とは、電源部１１０が正常に動作している状態である。故障検出時とは、故障検出器１７０により電源部１１０の故障が検出された状態であり、電源部１１０の故障とは、電源部１１０に接続された商用電源の異常または電源部１１０の故障により所定の電力に変換されなかった状態である。なお、故障検出器１７０は、例えば電流検出回路などで構成されている。
【００２１】
次に、電源部１１０から出力される２種類の制御信号について説明する。Ａｃｔｉｖｅ１信号は電源部１１０の状態を示す信号である。例えば正常時に電源部１１０の故障検出器１７０により検出された値が電源部１１０のマイコン（図示省略）に記憶されるとともに、故障検出器１７０からバッファ１７２を介してＡｃｔｉｖｅ１信号として「Ｈ」が出力される。故障検出器１７０は、マイコンに記憶された値と異なる場合に故障と判断して（すなわち、故障を検出して）Ａｃｔｉｖｅ１信号として「Ｌ」を出力し、自身が含まれる映像表示装置１のＳＷ１２０を制御するとともに、他の映像表示装置３のＳＷ３３０を制御する。以下、Ａｃｔｉｖｅ１信号、電源部２１０から出力されるＡｃｔｉｖｅ２信号、および電源部３１０から出力されるＡｃｔｉｖｅ３信号を、単にＡｃｔｉｖｅ信号ともいう。
【００２２】
Ｅ＿ｆｌａｇ１信号も電源の状態を示す信号である。例えば正常時に故障検出器１７０から「Ｈ」が出力されるため、３ステートバッファ１７１は、Ｅ＿ｆｌａｇ１信号としてＨｉＺ（オープン）を出力する。故障検出時に故障検出器１７０から「Ｌ」が出力されるため、３ステートバッファ１７１は、Ｅ＿ｆｌａｇ１信号として「Ｌ」を出力する。
【００２３】
図１に示すように、Ｅ＿ｆｌａｇ１信号は、例えば各映像表示装置１，２，３の電源部１１０，２１０，３１０から、オープンコレクタ出力されてワイヤードＯＲ接続されている。その後、Ｅ＿ｆｌａｇ１信号は、各映像表示装置１，２，３のエンジン部１００，２００，３００内のマイコン１０１，２０１，３０１に入力されるが、エンジン部１００，２００，３００内でプルアップ抵抗１０２，２０２，３０２によりプルアップされている。すなわち、全ての映像表示装置１，２，３の電源部１１０，２１０，３１０が正常な場合は「Ｈ」、いずれかの映像表示装置の電源部が故障した場合は「Ｌ」となるように構成されている。以下、Ｅ＿ｆｌａｇ１信号、電源部２１０から出力されるＥ＿ｆｌａｇ２信号、および電源部３１０から出力されるＥ＿ｆｌａｇ３信号を、単にＥ＿ｆｌａｇ信号ともいう。なお、Ａｃｔｉｖｅ信号が第１の制御信号に相当し、Ｅ＿ｆｌａｇ信号が第２の制御信号に相当する。
【００２４】
次に、図１を用いて、マルチ画面映像表示装置の電源部の接続状態について説明する。各映像表示装置１，２，３の電源部１１０，２１０，３１０は故障した場合に備えて他の映像表示装置の電源部からも電力を供給できるように、複数の映像表示装置１，２，３の外部電源入力端子１５０，２５０，３５０および外部電源出力端子１６０，２６０，３６０はいわゆるデイジーチェーン接続されている。より具体的には、映像表示装置１の外部電源出力端子１６０は映像表示装置２の外部電源入力端子２５０にデイジーチェーン接続されている。また、映像表示装置２の外部電源出力端子２６０は映像表示装置３の外部電源入力端子３５０にデイジーチェーン接続され、映像表示装置３の外部電源出力端子３６０は映像表示装置１の外部電源入力端子１５０にデイジーチェーン接続されている。
【００２５】
次に、マルチ画面映像表示装置における正常時の動作について説明する。図１と図２に示すように、正常時には各映像表示装置１，２，３のエンジン部１００，２００，３００は、自身の電源部１１０，２１０，３１０からそれぞれ電力が供給されている。すなわち、Ａｃｔｉｖｅ１，２，３信号として「Ｈ」が出力され、ＳＷ１２０，２２０，３２０は、自身が含まれる映像表示装置１，２，３の電源部１１０，２１０，３１０である内部電源から電力を供給するように切り替えられている。またＳＷ１３０，２３０，３３０も、自身が含まれる映像表示装置１，２，３の内部電源から供給された電力を外部に供給しないように切り替えられている。
【００２６】
そして、マイコン１０１，２０１，３０１の制御により、使用者の所望する明るさで光源を点灯させ、マルチ画面で構成される大画面の明るさにバラツキがないように映像表示装置１，２，３の明るさを全て同じ明るさで映像を表示させるように映像表示装置１，２，３は調整されている。
【００２７】
次に、図３を用いて、映像表示装置２の電源部２１０が故障した場合について説明する。図３は、実施の形態に係るマルチ画面映像表示装置の構成と故障検出時の動作を概略的に示す図である。
【００２８】
図３に示すように、映像表示装置２の電源部２１０が故障すると、Ａｃｔｉｖｅ２信号が故障状態を示す「Ｌ」に移行する。Ａｃｔｉｖｅ２信号が「Ｌ」になると映像表示装置２のＳＷ２２０は外部電源からの入力に切り替えられるとともに、映像表示装置１のＳＷ１３０はＯＮに切り替えられて、映像表示装置１の電源部１１０から映像表示装置２に電力が供給される。映像表示装置２のエンジン部２００は、内部電源からの電力供給ではなく、映像表示装置１の電源部１１０から供給される電力により動作し映像を表示させる。
【００２９】
さらに、映像表示装置２のＥ＿ｆｌａｇ２信号は、電源部２１０が故障すると「Ｌ」に移行するため、全ての映像表示装置１，２，３のマイコン１０１，２０１，３０１には、正常時を示す「Ｈ」からいずれかの映像表示装置の電源部の故障検出時を示す「Ｌ」が入力される。この場合、全ての映像表示装置１，２，３のマイコン１０１，２０１，３０１は、Ｅ＿ｆｌａｇ２＝「Ｌ」を検出してエンジン部１００，２００，３００をそれぞれ省電力モードに切り替える。
【００３０】
次に、省電力モードについて説明する。映像表示装置の消費電力は光源であるＬＥＤに供給する電流に依存する。すなわち、ＬＥＤに供給する電流を小さくすれば映像表示装置から出力される映像の明るさは暗くなるが、消費電力を小さくすることができる。ここで、省電力モードは、通常モードよりも消費電力を抑えてエンジン部を動作させるモードである。例えば、通常モードでは、エンジン部の消費電力は１００Ｗである。省電力モードでは、出力輝度は５０％低下するがエンジン部の消費電力は７５Ｗとなる。
【００３１】
映像表示装置１の電源部１１０は、映像表示装置２の電源部２１０が故障した場合、同時に映像表示装置１と映像表示装置２の２つのエンジン部１００，２００に電力を供給する構成となる。この場合、映像表示装置１のエンジン部１００および映像表示装置２のエンジン部２００を、正常時よりも消費電力を抑えて動作させる必要があり、本実施の形態では、光源であるＬＥＤに供給する電流を減少させ、映像の明るさを暗くして表示するものとする。
【００３２】
例えば、正常時に映像表示装置１，２，３では、電源部１１０，２１０，３１０は供給可能な最大スペックの電力を供給し、各ＬＥＤを最大限の明るさで点灯させ、映像を表示させていたとする。上記のように、映像表示装置２の電源部２１０が故障した場合（すなわち、故障検出時には）、映像表示装置１の電源部１１０は２つのエンジン部１００，２００に電力を供給する構成となるため、同時に２つのエンジン部１００，２００に最大スペックの電力を供給することはできない。よって、映像表示装置１，２では明るさを例えば半分にして映像を表示する。
【００３３】
映像表示装置３は、他の映像表示装置に電力を供給しないため、本来なら通常モードでの動作で問題ないが、マルチ画面のうちの１つの画面だけが明るい画面となり、マルチ画面を１つの大画面とすると非常に見苦しくなる。よって、映像表示装置３もＥ＿ｆｌａｇ３信号が「Ｌ」に移行し、他の２つの画面と同様に明るさを抑えることにより、マルチ画面の明るさを均一にすることができる。
【００３４】
以上のように、実施の形態に係るマルチ画面映像表示装置では、電源部１１０，２１０，３１０は、当該電源部１１０，２１０，３１０の故障をそれぞれ検出する機能をさらに備え、正常時にＳＷ１２０，２２０，３２０を内部電源に切り替えさせるとともにＳＷ１３０，２３０，３３０をオフに切り替えさせる。電源部２１０は、当該電源部２１０の故障検出時に、ＳＷ２２０を外部電源に切り替えさせるとともに、Ａｃｔｉｖｅ２信号をデイジーチェーン接続された隣接する映像表示装置１に送信しＡｃｔｉｖｅ２信号を受信した映像表示装置１のＳＷ１３０をオンに切り替えさせ当該映像表示装置１の電源部１１０からＡｃｔｉｖｅ２信号を送信した映像表示装置２のエンジン部２００へ電力を供給させる。
【００３５】
なお、実施の形態では電源部２１０の故障検出時について説明したが、電源部１１０，３１０の故障検出時もこれと同様の制御がなされる。電源部１１０，３１０の故障検出時について簡単に説明する。電源部１１０は、当該電源部１１０の故障検出時に、ＳＷ１２０を外部電源に切り替えさせるとともに、Ａｃｔｉｖｅ１信号をデイジーチェーン接続された隣接する映像表示装置３に送信しＡｃｔｉｖｅ１信号を受信した映像表示装置３のＳＷ３３０をオンに切り替えさせ当該映像表示装置３の電源部３１０からＡｃｔｉｖｅ１信号を送信した映像表示装置１のエンジン部１００へ電力を供給させる。
【００３６】
また、電源部３１０は、当該電源部３１０の故障検出時に、ＳＷ３２０を外部電源に切り替えさせるとともに、Ａｃｔｉｖｅ３信号をデイジーチェーン接続された隣接する映像表示装置２に送信しＡｃｔｉｖｅ３信号を受信した映像表示装置２のＳＷ２３０をオンに切り替えさせ当該映像表示装置２の電源部２１０からＡｃｔｉｖｅ３信号を送信した映像表示装置３のエンジン部３００へ電力を供給させる。
【００３７】
したがって、マルチ画面映像表示装置を構成する複数の映像表示装置のうち、いずれかの映像表示装置の電源部が故障した場合にも、電源部が正常に動作している他の映像表示装置から電力を供給することができる。これにより、マルチ画面映像表示装置の映像を欠落することなく表示させることができる。
【００３８】
各映像表示装置１，２，３は、エンジン部１００，２００，３００を通常モードおよび省電力モードのいずれかに切り替えるマイコン１０１，２０１，３０１をさらに備え、電源部は、当該電源部の故障検出時に、Ｅ＿ｆｌａｇ信号をデイジーチェーン接続された全ての映像表示装置１，２，３に送信しマルチ画面を構成する全ての映像表示装置１，２，３のエンジン部１００，２００，３００を省電力モードに切り替えさせる。
【００３９】
したがって、各電源部１１０，２１０，３１０の電力供給能力を例えば２倍に拡大させる必要がないため、マルチ画面映像表示装置のエネルギー消費量の削減を図ることができる。また、電力供給にかかるコストも抑えることができる。
【００４０】
また、各映像表示装置１，２，３はそれぞれＳＷ１３０，２３０，３３０を備え、電源部は、電源部の故障検出時に、エンジン部１００，２００，３００を省電力モードに切り替えさせた後、故障した映像表示装置に電力を供給するように第２の切替スイッチをオンに切り替えさせるため電力を供給する映像表示装置のオーバーロードによる故障を防ぐことができる。これにより、マルチ画面映像表示装置が長期使用可能となる。
【００４１】
＜変形例＞
次に、実施の形態の変形例について説明する。マイコン１０１，２０１，３０１は、故障検出時、すなわち電源部からＥ_ｆｌａｇ信号＝「Ｌ」を受信したときに、エンジン部１００，２００，３００をそれぞれ省電力モードに切り替えるとともに、当該電源部が含まれる映像表示装置のＯＳＤに電源部が故障した旨の情報をそれぞれ表示させて使用者に報知してもよい。
【００４２】
また、映像表示装置のＯＳＤに表示させる代わりに、またはこれとともに、当該電源部が含まれる映像表示装置に接続された外部装置の画面に表示させてもよい。図４に示すように、各映像表示装置１，２，３および外部装置であるＰＣ（Ｐｅｒｓｏｎａｌ  Ｃｏｍｐｕｔｅｒ）１８０，２８０，３８０はそれぞれ通信手段を介して接続され、使用者はＰＣ１８０，２８０，３８０から各映像表示装置１，２，３の電源部１１０，２１０，３１０の故障状態を監視している。ここで、図４では、各映像表示装置１，２，３に対して個別対応でＰＣ１８０，２８０，３８０が設けられているが、各映像表示装置１，２，３に対して共通のＰＣを設けておき、使用者は共通のＰＣから各映像表示装置１，２，３の電源部１１０，２１０，３１０の故障状態を監視してもよい。各映像表示装置１，２，３に対して個別対応で故障状態を監視するよりも共通のＰＣから故障状態を監視した方が、システムの構成および監視作業が簡単である。
【００４３】
そして、マイコンは、故障検出時、すなわち電源部からＥ_ｆｌａｇ信号＝「Ｌ」を受信したときに、当該電源部が含まれる映像表示装置に接続されたＰＣのディスプレイ（画面）上に故障情報等を表示させる。なお、１台のＰＣの場合、マイコンは、故障した電源部が含まれる映像表示装置を示す情報をＰＣのディスプレイ上に表示させてもよい。図４は、実施の形態の変形例に係るマルチ画面映像表示装置の構成と正常時の動作を概略的に示す図である。
【００４４】
これらの構成とすることにより、２４時間表示が必要なシステムにおいても、当面は省電力モードで運営しておき、適切なタイミングを見計らって電源部の修理または交換を行うことができるため、利便性をさらに向上させることができる。
【００４５】
なお、本実施の形態では、３×１面のマルチ画面について説明したが、２面以上複数の映像表示装置で構成されるものであればよく、この場合にも同様の効果を得ることができる。
【００４６】
また、本実施の形態では、光源をＬＥＤとして説明したが、これに限定されることなく、レーザーまたはランプなど明るさ調整が可能な全ての光源を採用することができ、この場合にも同様の効果を得ることができる。
【００４７】
また、本実施の形態では、省電力モード時に、光源の明るさを調整したが、２つの映像表示装置に電力を供給する電源部の電源容量が足りるのであれば、明るさは調整せずそのままとしてもよい。
【００４８】
また、本実施の形態では、電源部の故障検出時にマルチ画面を構成する全ての映像表示装置１，２，３のエンジン部１００，２００，３００を省電力モードに切り替えているが、マルチ画面の明るさを均一にする必要がない場合は、故障した映像表示装置に電力を供給する映像表示装置のエンジン部のみを省電力モードに切り替えてもよい。すなわち、Ａｃｔｉｖｅ信号を受信した映像表示装置のマイコンは、当該映像表示装置のエンジン部を省電力モードに切り替えてもよい。これにより、省電力モードに切り替えるための制御が簡単になる。
【００４９】
なお、本発明は、その発明の範囲内において、実施の形態を適宜、変形、省略することが可能である。
【符号の説明】
【００５０】
１，２，３  映像表示装置、１００，２００，３００  エンジン部、１０１，２０１，３０１  マイコン、１１０，２１０，３１０  電源部、１２０，２２０，３２０  ＳＷ、１３０，２３０，３３０  ＳＷ、１５０，２５０，３５０  外部電源入力端子、１６０，２６０，３６０  外部電源出力端子。
【図１】
2017163176.tif 000003
【図２】
2017163176.tif 000004
【図３】
2017163176.tif 000005
【図４】
2017163176.tif 000006